【手続補正書】
【提出日】平成20年7月30日(2008.7.30)
【手続補正１】
【補正対象書類名】特許請求の範囲
【補正対象項目名】全文
【補正方法】変更
【補正の内容】
【特許請求の範囲】
【請求項１】
図柄を表示可能な表示手段を有し、遊技者の始動開始操作に基づいて複数種の小役を含む役の抽選を行い、当該抽選により当選した役に対応する図柄が前記表示手段に停止表示された場合に前記当選した役を入賞とする遊技機であって、
前記役には、小役の当選が複数回可能な第１の状態であって、この第１の状態による遊技を所定回数行った場合、又は前記小役が所定回数当選した場合に終了する第１の特別役と、入賞することにより、次回以降の遊技状態を第２の状態に変化させ、この第２の状態による遊技の間に前記第１の特別役を複数回成立させて前記第１の状態による遊技を複数可能とする第２の特別役とを備え、
前記第２の状態における前記第１の状態による遊技で、前記表示手段に図柄が停止表示された後、次回の遊技が始まるまでの間に第１の状態を再起動させる再起動手段を有し、
前記再起動手段が第１の状態を再起動させるまでの時間は、少なくとも前記第１の状態の停止と再起動を検知するための検知手段が検知可能な時間間隔を保つことを特徴とする遊技機。
【請求項２】
前記時間間隔は約５ｍｓｅｃ以上、約１５０ｍｓｅｃ以下の範囲であることを特徴とする請求項１記載の遊技機。
【請求項３】
前記第２の状態による遊技状態の許容条件を記憶する記憶手段と、
この記憶手段に記憶されている前記許容条件に前記第２の状態での遊技が到達したか否かを検知する許容条件検知手段と、
この許容条件検知手段による検知結果が前記許容条件に到達した場合に前記第２の状態を終了させる制御手段と、
を備えたことを特徴とする請求項１又は請求項２記載の遊技機。
【請求項４】
前記制御手段は、前記第１の状態及び第２の状態の開始、終了、及び再起動を示す信号を外部に出力する信号出力手段を備えたことを特徴とする請求項３の記載の遊技機。
【手続補正２】
【補正対象書類名】明細書
【補正対象項目名】００１１
【補正方法】変更
【補正の内容】
【００１１】
このような遊技状況を前記ＢＢ切替信号と、ＲＢ切替信号で表現すると、図１０に示される如く、ＢＢ切替信号と、ＲＢ切替信号が全く同じ特性の切替時期となり、ＢＢ、ＣＴ（チャレンジタイム）等の役物連続作動遊技において、ＲＢ、ＳＢ（シングルボーナス）、ＳＣＴ（シングルチャレンジタイム）等の役物作動遊技が作動したのか否かが判別できず、現在の遊技状態が不明確となる。このため、製造時や検査時に使用する検査装置や遊技場で使用するホールコンピュータ等での遊技状態の把握、検知、解析等に支障をきたすという問題点が生じる。
【手続補正３】
【補正対象書類名】明細書
【補正対象項目名】００１３
【補正方法】変更
【補正の内容】
【００１３】
請求項１に記載の発明は、図柄を表示可能な表示手段を有し、遊技者の始動開始操作に基づいて複数種の小役を含む役の抽選を行い、当該抽選により当選した役に対応する図柄が前記表示手段に停止表示された場合に前記当選した役を入賞とする遊技機であって、前記役には、小役の当選が複数回可能な第１の状態であって、この第１の状態による遊技を所定回数行った場合、又は前記小役が所定回数当選した場合に終了する第１の特別役と、入賞することにより、次回以降の遊技状態を第２の状態に変化させ、この第２の状態による遊技の間に前記第１の特別役を複数回成立させて前記第１の状態による遊技を複数可能とする第２の特別役とを備え、前記第２の状態における前記第１の状態による遊技で、前記表示手段に図柄が停止表示された後、次回の遊技が始まるまでの間に第１の状態を再起動させる再起動手段を有し、前記再起動手段が第１の状態を再起動させるまでの時間は、少なくとも前記第１の状態の停止と再起動を検知するための検知手段が検知可能な時間間隔を保つことを特徴としている。
【手続補正４】
【補正対象書類名】明細書
【補正対象項目名】００１６
【補正方法】削除
【補正の内容】
【手続補正５】
【補正対象書類名】明細書
【補正対象項目名】００１７
【補正方法】変更
【補正の内容】
【００１７】
また、第２の状態における第１の状態による遊技で表示手段に図柄が停止表示された後、次回の遊技が始まるまでの間に再起動手段が第１の状態を再起動させるまでの時間は、少なくとも検知手段が第１の状態の停止と再起動を検知可能な時間間隔を保つので、検知手段が遊技状態の把握、検知、解析等に支障をきたすことを防止することができる。
【手続補正６】
【補正対象書類名】明細書
【補正対象項目名】００１８
【補正方法】変更
【補正の内容】
【００１８】
請求項２に記載の発明は、前記請求項１に記載の発明において、前記時間間隔は約５ｍｓｅｃ以上、約１５０ｍｓｅｃ以下の範囲であることを特徴としている。
【手続補正７】
【補正対象書類名】明細書
【補正対象項目名】００１９
【補正方法】変更
【補正の内容】
【００１９】
請求項２に記載の発明によれば、請求項１に記載の発明に加えて、第１の状態の停止と再起動を検知可能な時間間隔は約５ｍｓｅｃ以上約１５０ｍｓｅｃ以下の範囲にあるので、たとえ遊技者は気が付かなくても検知手段では確実に遊技状態の把握、検知が可能となる。
【手続補正８】
【補正対象書類名】明細書
【補正対象項目名】００２０
【補正方法】変更
【補正の内容】
【００２０】
請求項３に記載の発明は、前記請求項１又は請求項２記載の発明において、前記第２の状態による遊技状態の許容条件を記憶する記憶手段と、この記憶手段に記憶されている前記許容条件に前記第２の状態での遊技が到達したか否かを検知する許容条件検知手段と、この許容条件検知手段による検知結果が前記許容条件に到達した場合に前記第２の状態を終了させる制御手段と、を備えたことを特徴としている。
【手続補正９】
【補正対象書類名】明細書
【補正対象項目名】００２１
【補正方法】変更
【補正の内容】
【００２１】
請求項３に記載の発明によれば、請求項１又は請求項２記載の発明に加えて、第２の状態による遊技状態の許容条件を記憶手段に記憶しておき、この記憶手段に記憶されている前記許容条件に前記第２の状態での遊技が到達したか否かを許容条件検知手段が検知し、その検知結果が前記許容条件に到達した場合に制御手段が前記第２の状態を終了させるようにしたことにより、ＢＢ、ＣＴ等の第２の状態を過度の射幸性を与えることなく許容条件内で確実に終了させることができる。
【手続補正１０】
【補正対象書類名】明細書
【補正対象項目名】００２２
【補正方法】変更
【補正の内容】
【００２２】
請求項４に記載の発明は、前記請求項３に記載の発明において、前記制御手段は、前記第１の状態及び第２の状態の開始、終了、及び再起動を示す信号を外部に出力する信号出力手段を備えたことを特徴としている。
【手続補正１１】
【補正対象書類名】明細書
【補正対象項目名】００２３
【補正方法】変更
【補正の内容】
【００２３】
請求項４に記載の発明によれば、請求項３に記載の発明に加えて、制御手段は、前記第１の状態及び第２の状態の開始、終了、及び再起動を示す信号を外部に出力する信号出力手段を備えたことにより、前記信号出力手段とホールコンピュータや検査装置等の外部装置とを適宜接続することにより、遊技状態の把握、検知、解析等に支障をきたすことを防止することができる。
【手続補正１２】
【補正対象書類名】明細書
【補正対象項目名】００３０
【補正方法】変更
【補正の内容】
【００３０】
（パチスロ機の概略構成）
図２に示される如く、パチスロ機３００は、本体３０２と、本体３０２の正面に設けられた開閉カバーとしての操作兼装飾部３０３とを備えて構成されている。
【手続補正１３】
【補正対象書類名】明細書
【補正対象項目名】００４７
【補正方法】変更
【補正の内容】
【００４７】
（制御系）
図３には、上記パチスロ機３００の動作を制御するための制御ブロック図が概略的に示されている。
【手続補正１４】
【補正対象書類名】明細書
【補正対象項目名】００７４
【補正方法】変更
【補正の内容】
【００７４】
図４は、本実施の形態に係る主制御部１００における遊技制御のための制御系を機能的に示したブロック図である。
【手続補正１５】
【補正対象書類名】明細書
【補正対象項目名】００７７
【補正方法】変更
【補正の内容】
【００７７】
テーブル選択部１８２には、抽選部１８０により取得され得る数値に対応する役・図柄を示す情報がパチスロ機３００の遊技状態毎に記憶された役・図柄テーブル（図５参照）が格納されている。なお、パチスロ機３００の遊技状態としては、例えば、通常遊技、ＢＢ内部当選中、ＲＢ内部当選中、ＢＢ作動時の通常遊技、ＢＢ作動時のＲＢ内部当選中、ＲＢ遊技等があげられる。
【手続補正１６】
【補正対象書類名】明細書
【補正対象項目名】００９５
【補正方法】変更
【補正の内容】
【００９５】
また、レギュラーボーナス（第１の大役）においては、二値化された切替信号（以下、「第１の切替信号」という）が適用されており、レギュラーボーナスゲームの非実行中はローレベル（Ｌ）、実行中はハイレベル（Ｈ）となるように、実行／非実行のタイミングで切り替わるようになっている。
【手続補正１７】
【補正対象書類名】明細書
【補正対象項目名】０１２１
【補正方法】変更
【補正の内容】
【０１２１】
その後、遊技者が、停止ボタン３５６Ａ、３５６Ｂ、３５６Ｃを操作すると、この停止操作によってリール３５０Ａ、３５０Ｂ、３５０Ｃの回転を停止させるが、フラグメモリ１９２に記憶されているフラグに従って、滑り制御を加味して該当する図柄を所定位置に引き込むように、或いは所定位置から蹴飛ばすようにリール３５０Ａ、３５０Ｂ、３５０Ｃの停止制御が実行される。すなわち、リール駆動制御部１９４は、フラグメモリ１９２に記憶されたフラグの状態及び遊技状態制御部１８６による遊技状態に応じて停止制御テーブルを選択するようにしており、前記フラグが成立している場合には、的確な目押しタイミングによって当たり図柄を停止させることができる。また、停止ボタン３５６Ａ、３５６Ｂ、３５６Ｃの操作時の図柄位置を含めて５図柄以内の範囲にあれば、多少の停止操作タイミングのずれは滑り制御によって矯正される。逆に、フラグが成立していない場合には、目押しを行っても、リール３５０Ａ、３５０Ｂ、３５０Ｃの回転に滑りを生じさせ、当り図柄では停止しないようにする。
【手続補正１８】
【補正対象書類名】明細書
【補正対象項目名】０１２４
【補正方法】変更
【補正の内容】
【０１２４】
また、上記判定において、ＣＴゲーム役に入賞したと判定された場合には、次の遊技からＣＴゲームが実行される。ＣＴゲームは、遊技者介入遊技仕様であり、少なくとも１つのリールの前述した滑り制御を一切禁止して、もしくは通常遊技状態より滑り制御の幅を少なくして、遊技者の停止ボタン３５６Ａ、３５６Ｂ、３５６Ｃの停止操作に忠実にリール３５０Ａ、３５０Ｂ、３５０Ｃの駆動を停止させ、小役図柄を揃えるゲームである。従って、始動レバー３５４の操作があっても抽選は実行にかかわらず、純粋に遊技者の操作技術により小役図柄を揃えることが可能となる。
【手続補正１９】
【補正対象書類名】明細書
【補正対象項目名】０１３０
【補正方法】変更
【補正の内容】
【０１３０】
ＣＴゲームが開始されると、主制御部１００は、第２の切替信号をハイレベル（Ｈ）とし、以後、当該ＣＴゲームにおけるＳＣＴゲーム中の小役入賞で当該ＣＴゲーム中のメダルの払出枚数が規定払出枚数に達するまで第２の切替信号はハイレベル（Ｈ）を維持する。
【手続補正２０】
【補正対象書類名】明細書
【補正対象項目名】０１３１
【補正方法】変更
【補正の内容】
【０１３１】
また、主制御部１００は、ＣＴゲームが開始されると、第２の切替信号をハイレベル（Ｈ）にするのとほぼ同時に、第１の切替信号もハイレベル（Ｈ）として、ＳＣＴゲームも開始する。当該ＳＣＴゲームで全図柄が停止後、次の始動操作までの間に、第１の切替信号の切替動作を実行するように制御し、以後、当該ＣＴゲームでのメダルの払出枚数が継続する。
【手続補正２１】
【補正対象書類名】明細書
【補正対象項目名】０１３２
【補正方法】変更
【補正の内容】
【０１３２】
より具体的には、図８に示すように、第２の切替信号をハイレベル（Ｈ）にするのとほぼ同時に、第１の切替信号もハイレベル（Ｈ）となって第１回目のＳＣＴ遊技が可能となり、当該ＳＣＴゲームで全図柄が停止し、また、当該ゲームで遊技媒体（メダル）払い出しが行われる場合には、そのメダルの払い出しが全て終わった後、第１の切替信号がローレベル（Ｌ）に一旦下がり、図８に示す期間（例えば、１０１．３２ｍｓｅｃ）の間、第１の切替信号がローレベル（Ｌ）を維持した後再びハイレベル（Ｈ）に立ち上がり、第２回目のＳＣＴ遊技が可能となる。かかる第１の切替信号の切替動作は、当該ＣＴゲームにおけるＳＣＴゲーム中の小役入賞で当該ＣＴゲーム中のメダルの総払出枚数が規定払出枚数に達するまで複数回繰り返される。
【手続補正２２】
【補正対象書類名】図面
【補正対象項目名】図４
【補正方法】変更
【補正の内容】
【図４】
2007050050.tif 000001